(57)【要約】【課題】本発明は便利に取り付けることができる携帯電話ケースを開示した。【解決手段】主体、前記主体の中に設けられた切り替えチャンバ及び前記主体の中に設けられた上下に対称的な第一スライドチャンバを含み、上下二つの前記第一スライドチャンバの間には左右に対称的な連通チャンバが連通し設けられ、前記第一スライドチャンバの中には第一スライドブロックがスライドできるように設けられ、本発明の設備は同じ動力源を利用して挟みブロックを移動連動させ、これにより異なるサイズの携帯電話に対応でき、同時にこの動力源を利用してスタンドを振り連動させ、携帯電話の直立に便利であり、使いやすく、携帯電話がしっかりと挟まれ、操作が便利である。【選択図】図１
2020182200.tif 000002
【特許請求の範囲】
【請求項１】
本発明の便利に取り付けることができる携帯電話ケースは、主体、前記主体の中に設けられた切り替えチャンバ及び前記主体の中に設けられた上下に対称的な第一スライドチャンバを含み、上下二つの前記第一スライドチャンバの間には左右に対称的な連通チャンバが連通し設けられ、前記第一スライドチャンバの中には第一スライドブロックがスライドできるように設けられ、前記第一スライドブロックと前記第一スライドチャンバの端壁との間には復帰装置が弾性的に設けられ、前記第一スライドブロックの中には伝動チャンバが設けられ、前記伝動チャンバの中には挟み装置が設けられ、前記伝動チャンバの左右両側の端壁の中にはネジ山スリーブが回転できるように設けられ、前記伝動チャンバの中の前記ネジ山スリーブの外表面には第一歯車が固定的に設けられ、前記切り替えチャンバの左右端壁の中には前記切り替えチャンバを貫通する第二スライドチャンバが設けられ、前記第二スライドチャンバの中には動力切り替え装置が設けられ、前記第二スライドチャンバの中には第二スライドブロックが上下にスライドできるように設けられ、前記第二スライドブロックと前記第二スライドチャンバの頂壁との間には押圧バネが弾性的に設けられ、前記第二スライドブロックの左右端壁の中には外に開口した凹溝が対称的に設けられ、前記第二スライドチャンバと前記連通チャンバとの間には連通穴が連通し設けられ、前記連通穴の中には押しロッドがスライドできるように設けられ、前記押しロッドの末端には上下に対称的な連結ヒンジロッドがヒンジによって連結され、前記ヒンジロッドの末端がヒンジによって第一スライドブロックの端壁に連結され、前記主体の後側端壁には後方に開口した振りチャンバが設けられ、前記振りチャンバの中には支え装置が設けられ、前記挟み装置と、動力切り替え装置及び支え装置が互いに係合し使用され、携帯電話の支えと使用に便利であることを特徴とする便利に取り付けることができる携帯電話ケース。
【請求項２】
前記挟み装置は前記ネジ山スリーブの中に設けられた外部を連通するねじ穴を含み、前記ねじ穴の中にはねじロッドがねじ山によって係合し連結され、前記ねじロッドの末端には挟みブロックがヒンジによって連結され、上下二つの前記第一スライドブロックが離れている側の端壁の中には第三スライドチャンバが設けられ、前記第三スライドチャンバの中には第三スライドブロックが設けられ、前記第三スライドブロックの中には左右に貫通するスライド穴が設けられ、前記スライド穴の中には左右に対称的なスライドロッドがスライドできるように設けられ、前記スライドロッドの末端が前記ねじロッドの末端にヒンジによって連結され、前記伝動チャンバの端壁の中にはスプラインスリーブが回転できるように設けられ、前記伝動チャンバの中の前記スプラインスリーブの末端には第二歯車が固定的に設けられ、前記伝動チャンバの端壁には前記第一歯車及び第二歯車と噛み合う第三歯車が回転できるように設けられ、前記スプラインスリーブの中にはスプライン穴が設けられ、前記切り替えチャンバの中にはスプライン軸が回転できるように設けられ、前記スプライン軸の上下両側の末端が前記スプライン穴の中まで伸びており、かつ前記スプライン穴とスプラインにより係合され、前記切り替えチャンバの中の前記スプライン軸の外表面には第一傘歯車が固定的に設けられ、前記ネジ山スリーブが回転して前記ねじロッドを駆動し前記ネジ山スリーブから伸び出せ、これにより前記挟みブロックの間の距離を調節でき、携帯電話を挟むことに便利であることを特徴とする請求項１に記載の便利に取り付けることができる携帯電話ケース。
【請求項３】
前記動力切り替え装置は前記第二スライドブロックの中に設けられた上下に貫通する歯車チャンバを含み、前記歯車チャンバの後側端壁の中にはモーターが固定的に設けられ、前記モーターの出力軸の前に伸びている末端には前記第一傘歯車と噛み合う第二傘歯車が固定的に設けられ、前記第二スライドブロックの上下移動により第二傘歯車を上下に移動連動させ、これにより動力の切り替えを実現することを特徴とする請求項１に記載の便利に取り付けることができる携帯電話ケース。
【請求項４】
前記支え装置は前記振りチャンバの中に回転できるように設けられた回転軸を含み、前記回転軸の外表面にはスタンド及びウォームホイールが固定的に設けられ、前記振りチャンバと前記切り替えチャンバとの間には前記ウォームホイールと噛み合うウォームが回転できるように設けられ、前記切り替えチャンバの中の前記ウォームの末端には第三傘歯車が固定的に設けられ、前記ウォームが回転して前記ウォームホイールを回転連動させ、これにより前記スタンドを駆動し開けさせ、携帯電話を支えることを特徴とする請求項１に記載の便利に取り付けることができる携帯電話ケース。
【発明の詳細な説明】
【技術分野】
【０００１】
本発明は携帯電話アクセサリ分野を取り上げて、具体的には便利に取り付けることができる携帯電話ケースである。
【背景技術】
【０００２】
人々が携帯電話を使用する時、携帯が傷つけられることを防ぐために、外部に保護ケースを取り付ける必要があり、伝統的な携帯電話保護ケースは取り付けることが不便であり、携帯電話が傷つけられやすく、同時に携帯電話の変えることによりサイズも変化し、携帯電話ケースも変えなければいけなく、必要以上の浪費を起こし、伝統的な携帯電話ケースは自動的に角度を調節できるスタンドがなく、使用が不便であり、従って、携帯電話ケースを設計して上記問題を改善する必要がある。
【先行技術文献】
【特許文献】
【０００３】
【特許文献１】中国特許出願公開第105915671号明細書
【発明の概要】
【発明が解決しようとする課題】
【０００４】
本発明の目的は便利に取り付けることができる携帯電話ケースを提供し、それは上記の現在の技術中の問題を解決できる。
【課題を解決するための手段】
【０００５】
本発明の便利に取り付けることができる携帯電話ケースは、主体、前記主体の中に設けられた切り替えチャンバ及び前記主体の中に設けられた上下に対称的な第一スライドチャンバを含み、上下二つの前記第一スライドチャンバの間には左右に対称的な連通チャンバが連通し設けられ、前記第一スライドチャンバの中には第一スライドブロックがスライドできるように設けられ、前記第一スライドブロックと前記第一スライドチャンバの端壁との間には復帰装置が弾性的に設けられ、前記第一スライドブロックの中には伝動チャンバが設けられ、前記伝動チャンバの中には挟み装置が設けられ、前記伝動チャンバの左右両側の端壁の中にはネジ山スリーブが回転できるように設けられ、前記伝動チャンバの中の前記ネジ山スリーブの外表面には第一歯車が固定的に設けられ、前記切り替えチャンバの左右端壁の中には前記切り替えチャンバを貫通する第二スライドチャンバが設けられ、前記第二スライドチャンバの中には動力切り替え装置が設けられ、前記第二スライドチャンバの中には第二スライドブロックが上下にスライドできるように設けられ、前記第二スライドブロックと前記第二スライドチャンバの頂壁との間には押圧バネが弾性的に設けられ、前記第二スライドブロックの左右端壁の中には外に開口した凹溝が対称的に設けられ、前記第二スライドチャンバと前記連通チャンバとの間には連通穴が連通し設けられ、前記連通穴の中には押しロッドがスライドできるように設けられ、前記押しロッドの末端には上下に対称的な連結ヒンジロッドがヒンジによって連結され、前記ヒンジロッドの末端がヒンジによって第一スライドブロックの端壁に連結され、前記主体の後側端壁には後方に開口した振りチャンバが設けられ、前記振りチャンバの中には支え装置が設けられ、前記挟み装置と、動力切り替え装置及び支え装置が互いに係合し使用され、携帯電話の支えと使用に便利である。
【０００６】
優選の技術プランとして、前記挟み装置は前記ネジ山スリーブの中に設けられた外部を連通するねじ穴を含み、前記ねじ穴の中にはねじロッドがねじ山によって係合し連結され、前記ねじロッドの末端には挟みブロックがヒンジによって連結され、上下二つの前記第一スライドブロックが離れている側の端壁の中には第三スライドチャンバが設けられ、前記第三スライドチャンバの中には第三スライドブロックが設けられ、前記第三スライドブロックの中には左右に貫通するスライド穴が設けられ、前記スライド穴の中には左右に対称的なスライドロッドがスライドできるように設けられ、前記スライドロッドの末端が前記ねじロッドの末端にヒンジによって連結され、前記伝動チャンバの端壁の中にはスプラインスリーブが回転できるように設けられ、前記伝動チャンバの中の前記スプラインスリーブの末端には第二歯車が固定的に設けられ、前記伝動チャンバの端壁には前記第一歯車及び第二歯車と噛み合う第三歯車が回転できるように設けられ、前記スプラインスリーブの中にはスプライン穴が設けられ、前記切り替えチャンバの中にはスプライン軸が回転できるように設けられ、前記スプライン軸の上下両側の末端が前記スプライン穴の中まで伸びており、かつ前記スプライン穴とスプラインにより係合され、前記切り替えチャンバの中の前記スプライン軸の外表面には第一傘歯車が固定的に設けられ、前記ネジ山スリーブが回転して前記ねじロッドを駆動し前記ネジ山スリーブから伸び出せ、これにより前記挟みブロックの間の距離を調節でき、携帯電話を挟むことに便利である。
【０００７】
優選の技術プランとして、前記動力切り替え装置は前記第二スライドブロックの中に設けられた上下に貫通する歯車チャンバを含み、前記歯車チャンバの後側端壁の中にはモーターが固定的に設けられ、前記モーターの出力軸の前に伸びている末端には前記第一傘歯車と噛み合う第二傘歯車が固定的に設けられ、前記第二スライドブロックの上下移動により第二傘歯車を上下に移動連動させ、これにより動力の切り替えを実現する。
【０００８】
優選の技術プランとして、前記支え装置は前記振りチャンバの中に回転できるように設けられた回転軸を含み、前記回転軸の外表面にはスタンド及びウォームホイールが固定的に設けられ、前記振りチャンバと前記切り替えチャンバとの間には前記ウォームホイールと噛み合うウォームが回転できるように設けられ、前記切り替えチャンバの中の前記ウォームの末端には第三傘歯車が固定的に設けられ、前記ウォームが回転して前記ウォームホイールを回転連動させ、これにより前記スタンドを駆動し開けさせ、携帯電話を支える。
【発明の効果】
【０００９】
本発明の設備は同じ動力源を利用して挟みブロックを移動連動させ、これにより異なるサイズの携帯電話に対応でき、同時にこの動力源を利用してスタンドを振り連動させ、携帯電話の直立に便利であり、使いやすく、携帯電話がしっかりと挟まれ、操作が便利である。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の便利に取り付けることができる携帯電話ケースの全体構成略図
【図２】図２は図１のＡ−Ａの構成略図
【図３】図３は図１のＢの拡大構成略図
【図４】図４は図１のＣの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
図１−４を参照し、本発明の便利に取り付けることができる携帯電話ケースは、主体１０、前記主体１０の中に設けられた切り替えチャンバ４３及び前記主体１０の中に設けられた上下に対称的な第一スライドチャンバ３５を含み、上下二つの前記第一スライドチャンバ３５の間には左右に対称的な連通チャンバ１３が連通し設けられ、前記第一スライドチャンバ３５の中には第一スライドブロック３３がスライドできるように設けられ、前記第一スライドブロック３３と前記第一スライドチャンバ３５の端壁との間には復帰装置３４が弾性的に設けられ、前記第一スライドブロック３３の中には伝動チャンバ１４が設けられ、前記伝動チャンバ１４の中には挟み装置２００が設けられ、前記伝動チャンバ１４の左右両側の端壁の中にはネジ山スリーブ３２が回転できるように設けられ、前記伝動チャンバ１４の中の前記ネジ山スリーブ３２の外表面には第一歯車１５が固定的に設けられ、前記切り替えチャンバ４３の左右端壁の中には前記切り替えチャンバ４３を貫通する第二スライドチャンバ２０が設けられ、前記第二スライドチャンバ２０の中には動力切り替え装置３００が設けられ、前記第二スライドチャンバ２０の中には第二スライドブロック１７が上下にスライドできるように設けられ、前記第二スライドブロック１７と前記第二スライドチャンバ２０の頂壁との間には押圧バネ４６が弾性的に設けられ、前記第二スライドブロック１７の左右端壁の中には外に開口した凹溝１８が対称的に設けられ、前記第二スライドチャンバ２０と前記連通チャンバ１３との間には連通穴１９が連通し設けられ、前記連通穴１９の中には押しロッド１２がスライドできるように設けられ、前記押しロッド１２の末端には上下に対称的な連結ヒンジロッド１１がヒンジによって連結され、前記ヒンジロッド１１の末端がヒンジによって第一スライドブロック３３の端壁に連結され、前記主体１０の後側端壁には後方に開口した振りチャンバ３６が設けられ、前記振りチャンバ３６の中には支え装置４００が設けられ、前記挟み装置２００と、動力切り替え装置３００及び支え装置４００が互いに係合し使用され、携帯電話の支えと使用に便利である。
【００１５】
有益的には、前記挟み装置２００は前記ネジ山スリーブ３２の中に設けられた外部を連通するねじ穴３１を含み、前記ねじ穴３１の中にはねじロッド３０がねじ山によって係合し連結され、前記ねじロッド３０の末端には挟みブロック２９がヒンジによって連結され、上下二つの前記第一スライドブロック３３が離れている側の端壁の中には第三スライドチャンバ２８が設けられ、前記第三スライドチャンバ２８の中には第三スライドブロック２７が設けられ、前記第三スライドブロック２７の中には左右に貫通するスライド穴２６が設けられ、前記スライド穴２６の中には左右に対称的なスライドロッド２５がスライドできるように設けられ、前記スライドロッド２５の末端が前記ねじロッド３０の末端にヒンジによって連結され、前記伝動チャンバ１４の端壁の中にはスプラインスリーブ２３が回転できるように設けられ、前記伝動チャンバ１４の中の前記スプラインスリーブ２３の末端には第二歯車２４が固定的に設けられ、前記伝動チャンバ１４の端壁には前記第一歯車１５及び第二歯車２４と噛み合う第三歯車１６が回転できるように設けられ、前記スプラインスリーブ２３の中にはスプライン穴２１が設けられ、前記切り替えチャンバ４３の中にはスプライン軸２２が回転できるように設けられ、前記スプライン軸２２の上下両側の末端が前記スプライン穴２１の中まで伸びており、かつ前記スプライン穴２１とスプラインにより係合され、前記切り替えチャンバ４３の中の前記スプライン軸２２の外表面には第一傘歯車３８が固定的に設けられ、前記ネジ山スリーブ３２が回転して前記ねじロッド３０を駆動し前記ネジ山スリーブ３２から伸び出せ、これにより前記挟みブロック２９の間の距離を調節でき、携帯電話を挟むことに便利である。
【００１６】
有益的には、前記動力切り替え装置３００は前記第二スライドブロック１７の中に設けられた上下に貫通する歯車チャンバ４７を含み、前記歯車チャンバ４７の後側端壁の中にはモーター４０が固定的に設けられ、前記モーター４０の出力軸の前に伸びている末端には前記第一傘歯車３８と噛み合う第二傘歯車３９が固定的に設けられ、前記第二スライドブロック１７の上下移動により第二傘歯車３９を上下に移動連動させ、これにより動力の切り替えを実現する。
【００１７】
有益的には、前記支え装置４００は前記振りチャンバ３６の中に回転できるように設けられた回転軸４４を含み、前記回転軸４４の外表面にはスタンド３７及びウォームホイール４５が固定的に設けられ、前記振りチャンバ３６と前記切り替えチャンバ４３との間には前記ウォームホイール４５と噛み合うウォーム４１が回転できるように設けられ、前記切り替えチャンバ４３の中の前記ウォーム４１の末端には第三傘歯車４２が固定的に設けられ、前記ウォーム４１が回転して前記ウォームホイール４５を回転連動させ、これにより前記スタンド３７を駆動し開けさせ、携帯電話を支える。
【００１８】
以下、図１−４及び上記の便利に取り付けることができる携帯電話ケースの具体的な構成を参照して使用方法を詳しく説明する：
【００１９】
モーター４０を始動し、モーター４０の回転によって第二傘歯車３９を回転連動させ、前記第二傘歯車３９が回転して前記第一傘歯車３８を回転連動させ、これにより前記スプライン軸２２、スプラインスリーブ２３、第二歯車２４、第三歯車１６、第一歯車１５及びネジ山スリーブ３２を回転連動させ、これにより前記ねじロッド３０が前記ねじ穴３１から伸び出し、左右二つの挟みブロック２９の間の距離が携帯電話の幅と同じになった時に、前記モーター４０を止め、上下二つの挟みブロック２９の距離が携帯電話の長さと同じになった時まで上下両側に前記第一スライドブロック３３を引き、携帯電話を前記挟みブロック２９の間に置き、その時に前記復帰装置３４が第一スライドブロック３３を駆動し向かい合って移動させ、前記挟みブロック２９が連動されて携帯電話をしっかりと挟み、前記第一スライドブロック３３が向かい合って移動する時に前記ヒンジロッド１１を連動させ、前記ヒンジロッド１１が前記押しロッド１２を引き前記凹溝１８から移出させ、その時に前記押圧バネ４６が前記第二スライドブロック１７を上に移動連動させ、その時に前記第二傘歯車３９と前記第三傘歯車４２とが噛み合い、その時に前記モーター４０を作動させ、これにより前記第二傘歯車３９を回転連動させ、これにより前記第三傘歯車４２を回転連動させ、これにより前記ウォーム４１を回転連動させ、前記ウォーム４１が回転して前記ウォームホイール４５を回転連動させ、前記ウォームホイール４５が回転して前記スタンド３７を主体１０の外まで振り連動させ、携帯電話を支えることに便利であり、携帯電話を直立に置くことに便利である。
【００２０】
本発明の有益効果は：本発明の設備は同じ動力源を利用して挟みブロックを移動連動させ、これにより異なるサイズの携帯電話に対応でき、同時にこの動力源を利用してスタンドを振り連動させ、携帯電話の直立に便利であり、使いやすく、携帯電話がしっかりと挟まれ、操作が便利である。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182200.tif 000003
【図２】
2020182200.tif 000004
【図３】
2020182200.tif 000005
【図４】
2020182200.tif 000006
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
本発明の便利に取り付けることができる携帯電話ケースは、主体、前記主体の中に設けられた切り替えチャンバ及び前記主体の中に設けられた上下に対称的な第一スライドチャンバを含み、上下二つの前記第一スライドチャンバの間には左右に対称的な連通チャンバが連通し設けられ、前記第一スライドチャンバの中には第一スライドブロックがスライドできるように設けられ、前記第一スライドブロックと前記第一スライドチャンバの端壁との間には復帰装置が弾性的に設けられ、前記第一スライドブロックの中には伝動チャンバが設けられ、前記伝動チャンバの中には挟み装置が設けられ、前記伝動チャンバの左右両側の端壁の中にはネジ山スリーブが回転できるように設けられ、前記伝動チャンバの中の前記ネジ山スリーブの外表面には第一歯車が固定的に設けられ、前記切り替えチャンバの左右端壁の中には前記切り替えチャンバを貫通する第二スライドチャンバが設けられ、前記第二スライドチャンバの中には動力切り替え装置が設けられ、前記第二スライドチャンバの中には第二スライドブロックが上下にスライドできるように設けられ、前記第二スライドブロックと前記第二スライドチャンバの頂壁との間には押圧バネが弾性的に設けられ、前記第二スライドブロックの左右端壁の中には外に開口した凹溝が対称的に設けられ、前記第二スライドチャンバと前記連通チャンバとの間には連通穴が連通し設けられ、前記連通穴の中には押しロッドがスライドできるように設けられ、前記押しロッドの末端には上下に対称的な連結ヒンジロッドがヒンジによって連結され、前記上下に対称的な連結ヒンジロッドの末端がヒンジによって前記第一スライドブロックの端壁に連結され、前記主体の後側端壁には後方に開口した振りチャンバが設けられ、前記振りチャンバの中には支え装置が設けられ、前記動力切り替え装置は、前記挟み装置ないし前記支え装置と互いに係合し使用されることで、携帯電話の支えと使用に便利であり、
前記挟み装置は前記ネジ山スリーブの中に設けられた外部を連通するねじ穴を含み、前記ねじ穴の中にはねじロッドがねじ山によって係合し連結され、前記ねじロッドの末端には挟みブロックがヒンジによって連結され、上下二つの前記第一スライドブロックが離れている側の端壁の中には第三スライドチャンバが設けられ、前記第三スライドチャンバの中には第三スライドブロックが設けられ、前記第三スライドブロックの中には左右に貫通するスライド穴が設けられ、前記スライド穴の中には左右に対称的なスライドロッドがスライドできるように設けられ、前記スライドロッドの末端が前記ねじロッドの末端にヒンジによって連結され、前記伝動チャンバの端壁の中にはスプラインスリーブが回転できるように設けられ、前記伝動チャンバの中の前記スプラインスリーブの末端には第二歯車が固定的に設けられ、前記伝動チャンバの端壁には前記第一歯車及び前記第二歯車と噛み合う第三歯車が回転できるように設けられ、前記スプラインスリーブの中にはスプライン穴が設けられ、前記切り替えチャンバの中にはスプライン軸が回転できるように設けられ、前記スプライン軸の上下両側の末端が前記スプライン穴の中まで伸びており、かつ前記スプライン穴とスプラインにより係合され、前記切り替えチャンバの中の前記スプライン軸の外表面には第一傘歯車が固定的に設けられ、前記ネジ山スリーブが回転して前記ねじロッドを駆動し前記ネジ山スリーブから伸び出せ、これにより前記挟みブロックの間の距離を調節でき、携帯電話を挟むことに便利であり、
前記動力切り替え装置は前記第二スライドブロックの中に設けられた上下に貫通する歯車チャンバを含み、前記歯車チャンバの後側端壁の中にはモーターが固定的に設けられ、前記モーターの出力軸の前に伸びている末端には前記第一傘歯車と噛み合う第二傘歯車が固定的に設けられ、前記第二スライドブロックの上下移動により第二傘歯車を上下に移動連動させ、これにより動力の切り替えを実現し、
前記支え装置は前記振りチャンバの中に回転できるように設けられた回転軸を含み、前記回転軸の外表面にはスタンド及びウォームホイールが固定的に設けられ、前記振りチャンバと前記切り替えチャンバとの間には前記ウォームホイールと噛み合うウォームが回転できるように設けられ、前記切り替えチャンバの中の前記ウォームの末端には第三傘歯車が固定的に設けられ、前記ウォームが回転して前記ウォームホイールを回転連動させ、これにより前記スタンドを駆動し開けさせ、携帯電話を支え、
前記モーターを始動し、前記モーターの回転によって前記第二傘歯車を回転連動させ、前記第二傘歯車が回転して前記第一傘歯車を回転連動させ、これにより前記スプライン軸、前記スプラインスリーブ、前記第二歯車、前記第三歯車、前記第一歯車及び前記ネジ山スリーブを回転連動させ、これにより前記ねじロッドが前記ねじ穴から伸び出し、左右二つの前記挟みブロックの間の距離が携帯電話の幅と同じになった時に、前記モーターを止め、上下二つの前記挟みブロックの距離が携帯電話の長さと同じになった時まで上下両側に前記第一スライドブロックを引き、携帯電話を前記挟みブロックの間に置き、その時に前記復帰装置が前記第一スライドブロックを駆動し向かい合って移動させ、前記挟みブロックが連動されて携帯電話をしっかりと挟み、前記第一スライドブロックが向かい合って移動する時に前記ヒンジロッドを連動させ、前記ヒンジロッドが前記押しロッドを引き前記凹溝から移出させ、その時に前記押圧バネが前記第二スライドブロックを上に移動連動させ、その時に前記第二傘歯車と前記第三傘歯車とが噛み合い、その時に前記モーターを作動させ、これにより前記第二傘歯車を回転連動させ、これにより前記第三傘歯車を回転連動させ、これにより前記ウォームを回転連動させ、前記ウォームが回転して前記ウォームホイールを回転連動させ、前記ウォームホイールが回転して前記スタンドを主体の外まで振り連動させ、携帯電話を支えることに便利であり、携帯電話を直立に置くことに便利であることを特徴とする便利に取り付けることができる携帯電話ケース。
【手続補正２】
【補正対象書類名】明細書
【補正対象項目名】全文
【補正方法】変更
【補正の内容】
【発明の詳細な説明】
【技術分野】
【０００１】
本発明は携帯電話アクセサリ分野を取り上げて、具体的には便利に取り付けることができる携帯電話ケースである。
【背景技術】
【０００２】
人々が携帯電話を使用する時、携帯が傷つけられることを防ぐために、外部に保護ケースを取り付ける必要があり、伝統的な携帯電話保護ケースは取り付けることが不便であり、携帯電話が傷つけられやすく、同時に携帯電話の変えることによりサイズも変化し、携帯電話ケースも変えなければいけなく、必要以上の浪費を起こし、伝統的な携帯電話ケースは自動的に角度を調節できるスタンドがなく、使用が不便であり、従って、携帯電話ケースを設計して上記問題を改善する必要がある。
【先行技術文献】
【特許文献】
【０００３】
【特許文献１】中国特許出願公開第105915671号明細書
【発明の概要】
【発明が解決しようとする課題】
【０００４】
本発明の目的は便利に取り付けることができる携帯電話ケースを提供し、それは上記の現在の技術中の問題を解決できる。
【課題を解決するための手段】
【０００５】
本発明の便利に取り付けることができる携帯電話ケースは、主体、前記主体の中に設けられた切り替えチャンバ及び前記主体の中に設けられた上下に対称的な第一スライドチャンバを含み、上下二つの前記第一スライドチャンバの間には左右に対称的な連通チャンバが連通し設けられ、前記第一スライドチャンバの中には第一スライドブロックがスライドできるように設けられ、前記第一スライドブロックと前記第一スライドチャンバの端壁との間には復帰装置が弾性的に設けられ、前記第一スライドブロックの中には伝動チャンバが設けられ、前記伝動チャンバの中には挟み装置が設けられ、前記伝動チャンバの左右両側の端壁の中にはネジ山スリーブが回転できるように設けられ、前記伝動チャンバの中の前記ネジ山スリーブの外表面には第一歯車が固定的に設けられ、前記切り替えチャンバの左右端壁の中には前記切り替えチャンバを貫通する第二スライドチャンバが設けられ、前記第二スライドチャンバの中には動力切り替え装置が設けられ、前記第二スライドチャンバの中には第二スライドブロックが上下にスライドできるように設けられ、前記第二スライドブロックと前記第二スライドチャンバの頂壁との間には押圧バネが弾性的に設けられ、前記第二スライドブロックの左右端壁の中には外に開口した凹溝が対称的に設けられ、前記第二スライドチャンバと前記連通チャンバとの間には連通穴が連通し設けられ、前記連通穴の中には押しロッドがスライドできるように設けられ、前記押しロッドの末端には上下に対称的な連結ヒンジロッドがヒンジによって連結され、前記上下に対称的な連結ヒンジロッドの末端がヒンジによって前記第一スライドブロックの端壁に連結され、前記主体の後側端壁には後方に開口した振りチャンバが設けられ、前記振りチャンバの中には支え装置が設けられ、前記動力切り替え装置は、前記挟み装置ないし前記支え装置と互いに係合し使用されることで、携帯電話の支えと使用に便利である。
【０００６】
優選の技術プランとして、前記挟み装置は前記ネジ山スリーブの中に設けられた外部を連通するねじ穴を含み、前記ねじ穴の中にはねじロッドがねじ山によって係合し連結され、前記ねじロッドの末端には挟みブロックがヒンジによって連結され、上下二つの前記第一スライドブロックが離れている側の端壁の中には第三スライドチャンバが設けられ、前記第三スライドチャンバの中には第三スライドブロックが設けられ、前記第三スライドブロックの中には左右に貫通するスライド穴が設けられ、前記スライド穴の中には左右に対称的なスライドロッドがスライドできるように設けられ、前記スライドロッドの末端が前記ねじロッドの末端にヒンジによって連結され、前記伝動チャンバの端壁の中にはスプラインスリーブが回転できるように設けられ、前記伝動チャンバの中の前記スプラインスリーブの末端には第二歯車が固定的に設けられ、前記伝動チャンバの端壁には前記第一歯車及び前記第二歯車と噛み合う第三歯車が回転できるように設けられ、前記スプラインスリーブの中にはスプライン穴が設けられ、前記切り替えチャンバの中にはスプライン軸が回転できるように設けられ、前記スプライン軸の上下両側の末端が前記スプライン穴の中まで伸びており、かつ前記スプライン穴とスプラインにより係合され、前記切り替えチャンバの中の前記スプライン軸の外表面には第一傘歯車が固定的に設けられ、前記ネジ山スリーブが回転して前記ねじロッドを駆動し前記ネジ山スリーブから伸び出せ、これにより前記挟みブロックの間の距離を調節でき、携帯電話を挟むことに便利である。
【０００７】
優選の技術プランとして、前記動力切り替え装置は前記第二スライドブロックの中に設けられた上下に貫通する歯車チャンバを含み、前記歯車チャンバの後側端壁の中にはモーターが固定的に設けられ、前記モーターの出力軸の前に伸びている末端には前記第一傘歯車と噛み合う第二傘歯車が固定的に設けられ、前記第二スライドブロックの上下移動により第二傘歯車を上下に移動連動させ、これにより動力の切り替えを実現する。
【０００８】
優選の技術プランとして、前記支え装置は前記振りチャンバの中に回転できるように設けられた回転軸を含み、前記回転軸の外表面にはスタンド及びウォームホイールが固定的に設けられ、前記振りチャンバと前記切り替えチャンバとの間には前記ウォームホイールと噛み合うウォームが回転できるように設けられ、前記切り替えチャンバの中の前記ウォームの末端には第三傘歯車が固定的に設けられ、前記ウォームが回転して前記ウォームホイールを回転連動させ、これにより前記スタンドを駆動し開けさせ、携帯電話を支える。
【発明の効果】
【０００９】
本発明の設備は同じ動力源を利用して挟みブロックを移動連動させ、これにより異なるサイズの携帯電話に対応でき、同時にこの動力源を利用してスタンドを振り連動させ、携帯電話の直立に便利であり、使いやすく、携帯電話がしっかりと挟まれ、操作が便利である。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の便利に取り付けることができる携帯電話ケースの全体構成略図
【図２】図２は図１のＡ−Ａの構成略図
【図３】図３は図１のＢの拡大構成略図
【図４】図４は図１のＣの拡大構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
図１−４を参照し、本発明の便利に取り付けることができる携帯電話ケースは、主体１０、前記主体１０の中に設けられた切り替えチャンバ４３及び前記主体１０の中に設けられた上下に対称的な第一スライドチャンバ３５を含み、上下二つの前記第一スライドチャンバ３５の間には左右に対称的な連通チャンバ１３が連通し設けられ、前記第一スライドチャンバ３５の中には第一スライドブロック３３がスライドできるように設けられ、前記第一スライドブロック３３と前記第一スライドチャンバ３５の端壁との間には復帰装置３４が弾性的に設けられ、前記第一スライドブロック３３の中には伝動チャンバ１４が設けられ、前記伝動チャンバ１４の中には挟み装置２００が設けられ、前記伝動チャンバ１４の左右両側の端壁の中にはネジ山スリーブ３２が回転できるように設けられ、前記伝動チャンバ１４の中の前記ネジ山スリーブ３２の外表面には第一歯車１５が固定的に設けられ、前記切り替えチャンバ４３の左右端壁の中には前記切り替えチャンバ４３を貫通する第二スライドチャンバ２０が設けられ、前記第二スライドチャンバ２０の中には動力切り替え装置３００が設けられ、前記第二スライドチャンバ２０の中には第二スライドブロック１７が上下にスライドできるように設けられ、前記第二スライドブロック１７と前記第二スライドチャンバ２０の頂壁との間には押圧バネ４６が弾性的に設けられ、前記第二スライドブロック１７の左右端壁の中には外に開口した凹溝１８が対称的に設けられ、前記第二スライドチャンバ２０と前記連通チャンバ１３との間には連通穴１９が連通し設けられ、前記連通穴１９の中には押しロッド１２がスライドできるように設けられ、前記押しロッド１２の末端には上下に対称的な連結ヒンジロッド１１がヒンジによって連結され、前記上下に対称的な連結ヒンジロッド１１の末端がヒンジによって前記第一スライドブロック３３の端壁に連結され、前記主体１０の後側端壁には後方に開口した振りチャンバ３６が設けられ、前記振りチャンバ３６の中には支え装置４００が設けられ、前記動力切り替え装置３００は、前記挟み装置２００ないし前記支え装置４００と互いに係合し使用されることで、携帯電話の支えと使用に便利である。
【００１５】
有益的には、前記挟み装置２００は前記ネジ山スリーブ３２の中に設けられた外部を連通するねじ穴３１を含み、前記ねじ穴３１の中にはねじロッド３０がねじ山によって係合し連結され、前記ねじロッド３０の末端には挟みブロック２９がヒンジによって連結され、上下二つの前記第一スライドブロック３３が離れている側の端壁の中には第三スライドチャンバ２８が設けられ、前記第三スライドチャンバ２８の中には第三スライドブロック２７が設けられ、前記第三スライドブロック２７の中には左右に貫通するスライド穴２６が設けられ、前記スライド穴２６の中には左右に対称的なスライドロッド２５がスライドできるように設けられ、前記スライドロッド２５の末端が前記ねじロッド３０の末端にヒンジによって連結され、前記伝動チャンバ１４の端壁の中にはスプラインスリーブ２３が回転できるように設けられ、前記伝動チャンバ１４の中の前記スプラインスリーブ２３の末端には第二歯車２４が固定的に設けられ、前記伝動チャンバ１４の端壁には前記第一歯車１５及び前記第二歯車２４と噛み合う第三歯車１６が回転できるように設けられ、前記スプラインスリーブ２３の中にはスプライン穴２１が設けられ、前記切り替えチャンバ４３の中にはスプライン軸２２が回転できるように設けられ、前記スプライン軸２２の上下両側の末端が前記スプライン穴２１の中まで伸びており、かつ前記スプライン穴２１とスプラインにより係合され、前記切り替えチャンバ４３の中の前記スプライン軸２２の外表面には第一傘歯車３８が固定的に設けられ、前記ネジ山スリーブ３２が回転して前記ねじロッド３０を駆動し前記ネジ山スリーブ３２から伸び出せ、これにより前記挟みブロック２９の間の距離を調節でき、携帯電話を挟むことに便利である。
【００１６】
有益的には、前記動力切り替え装置３００は前記第二スライドブロック１７の中に設けられた上下に貫通する歯車チャンバ４７を含み、前記歯車チャンバ４７の後側端壁の中にはモーター４０が固定的に設けられ、前記モーター４０の出力軸の前に伸びている末端には前記第一傘歯車３８と噛み合う第二傘歯車３９が固定的に設けられ、前記第二スライドブロック１７の上下移動により第二傘歯車３９を上下に移動連動させ、これにより動力の切り替えを実現する。
【００１７】
有益的には、前記支え装置４００は前記振りチャンバ３６の中に回転できるように設けられた回転軸４４を含み、前記回転軸４４の外表面にはスタンド３７及びウォームホイール４５が固定的に設けられ、前記振りチャンバ３６と前記切り替えチャンバ４３との間には前記ウォームホイール４５と噛み合うウォーム４１が回転できるように設けられ、前記切り替えチャンバ４３の中の前記ウォーム４１の末端には第三傘歯車４２が固定的に設けられ、前記ウォーム４１が回転して前記ウォームホイール４５を回転連動させ、これにより前記スタンド３７を駆動し開けさせ、携帯電話を支える。
【００１８】
以下、図１−４及び上記の便利に取り付けることができる携帯電話ケースの具体的な構成を参照して使用方法を詳しく説明する：
【００１９】
モーター４０を始動し、モーター４０の回転によって第二傘歯車３９を回転連動させ、前記第二傘歯車３９が回転して前記第一傘歯車３８を回転連動させ、これにより前記スプライン軸２２、スプラインスリーブ２３、第二歯車２４、第三歯車１６、第一歯車１５及びネジ山スリーブ３２を回転連動させ、これにより前記ねじロッド３０が前記ねじ穴３１から伸び出し、左右二つの挟みブロック２９の間の距離が携帯電話の幅と同じになった時に、前記モーター４０を止め、上下二つの挟みブロック２９の距離が携帯電話の長さと同じになった時まで上下両側に前記第一スライドブロック３３を引き、携帯電話を前記挟みブロック２９の間に置き、その時に前記復帰装置３４が第一スライドブロック３３を駆動し向かい合って移動させ、前記挟みブロック２９が連動されて携帯電話をしっかりと挟み、前記第一スライドブロック３３が向かい合って移動する時に前記ヒンジロッド１１を連動させ、前記ヒンジロッド１１が前記押しロッド１２を引き前記凹溝１８から移出させ、その時に前記押圧バネ４６が前記第二スライドブロック１７を上に移動連動させ、その時に前記第二傘歯車３９と前記第三傘歯車４２とが噛み合い、その時に前記モーター４０を作動させ、これにより前記第二傘歯車３９を回転連動させ、これにより前記第三傘歯車４２を回転連動させ、これにより前記ウォーム４１を回転連動させ、前記ウォーム４１が回転して前記ウォームホイール４５を回転連動させ、前記ウォームホイール４５が回転して前記スタンド３７を主体１０の外まで振り連動させ、携帯電話を支えることに便利であり、携帯電話を直立に置くことに便利である。
【００２０】
本発明の有益効果は：本発明の設備は同じ動力源を利用して挟みブロックを移動連動させ、これにより異なるサイズの携帯電話に対応でき、同時にこの動力源を利用してスタンドを振り連動させ、携帯電話の直立に便利であり、使いやすく、携帯電話がしっかりと挟まれ、操作が便利である。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。